(57)【要約】【課題】従来使用されている容器体及びキャップで構成された容器を利用して製造することができ、その未使用，未開封であることが一目瞭然であるとともに、開封に際しても簡単な操作で行える容器を提案する。【解決手段】キャップ３上方よりその周壁外周を被覆し且つ抜け出しを防止して装着するとともに、縦断する切取帯16を切り取り可能に画成してなる封緘筒４を設けて構成した。【選択図】図１
2005153964.tif 000002
【特許請求の範囲】
【請求項１】
口頸部７を起立した容器体２と、口頸部７外周に着脱可能に嵌合させた周壁８上端縁より頂壁９を延設したキャップ３とを備え、上記キャップ３上方よりその周壁８外周を被覆し且つ抜け出しを防止して装着するとともに、縦断する切取帯16を切り取り可能に画成してなる封緘筒４を設けたことを特徴とする容器。
【請求項２】
上記封緘筒４が、上記キャップ上面に係合する係合部ａにより下方への抜け出しを防止するとともに、上記容器外周部の環状下向き面ｂに係合する弾性係合片13により上方への抜け出しを防止してなる請求項１記載の容器。
【請求項３】
上記封緘筒４が、容器体２の肩部６上面に下面を当接係止して下方への抜け出しを防止するとともに、上記容器外周部の環状下向き面ｂに係合する弾性係合片13により上方への抜け出しを防止してなる請求項１記載の容器。
【請求項４】
上記弾性係合片13が、上記封緘筒４の筒壁所定位置に設けた窓孔14下面より起立するとともに、先端を筒壁内方に突出してなる請求項２又は請求項３のいずれかに記載の容器。  
【請求項５】
上記環状下向き面ｂがキャップ周壁８下面である請求項２乃至請求項４のいずれかに記載の容器。
【発明の詳細な説明】
【技術分野】
【０００１】
本発明は容器に関し、詳しくは、未使用な状態を表現できて収納物に対する充分な信頼性を得ることのできる容器に関する。
【背景技術】
【０００２】
容器が未開封であることを明示し得る容器の口部構造が提案されている（例えば、特許文献１参照）。
【０００３】
ここに示されている口部構造は、キャップを締着せしめうる口部と、該口部の外周にキャップを締着せしめうる隙間を介し、且つ少なくともキャップの側面全周を覆うことができる保護カバーとが一体に形成されており、保護カバーの下端部が口部に環状切断部を介して接続されている。
【特許文献１】実開昭58-113640 号公報
【発明の開示】
【発明が解決しようとする課題】
【０００４】
上記した口部構造は、口部と保護カバーとが一体に形成されているため、新たにその型を形成しなければならず、また、容器の形態大きさ等の相違によっても一々その都度型を興さなければならないというコスト上の問題がある。
【０００５】
本発明は上記した点に鑑みてなされたもので、従来使用されている容器体及びキャップで構成された容器を利用して製造することができ、その未使用、未開封であることが一目瞭然であるとともに、収納物の入れ換え等の開封前の悪戯の防止を図れ、また、開封に際しても簡単な操作で行える容器を提案するものである。
【課題を解決するための手段】
【０００６】
本請求項１発明は、上記課題を解決するため、口頸部７を起立した容器体２と、口頸部７外周に着脱可能に嵌合させた周壁８上端縁より頂壁９を延設したキャップ３とを備え、上記キャップ３上方よりその周壁８外周を被覆し且つ抜け出しを防止して装着するとともに、縦断する切取帯16を切り取り可能に画成してなる封緘筒４を設けたことを特徴とする容器として構成した。
【０００７】
本請求項２発明は、上記封緘筒４が、上記キャップ上面に係合する係合部ａにより下方への抜け出しを防止するとともに、上記容器外周部の環状下向き面ｂに係合する弾性係合片13により上方への抜け出しを防止してなる請求項１記載の容器として構成した。
【０００８】
本請求項３発明は、上記封緘筒４が、容器体２の肩部６上面に下面を当接係止して下方への抜け出しを防止するとともに、上記容器外周部の環状下向き面ｂに係合する弾性係合片13により上方への抜け出しを防止してなる請求項１記載の容器として構成した。
【０００９】
本請求項４発明は、上記弾性係合片13が、上記封緘筒４の筒壁所定位置に設けた窓孔14下面より起立するとともに、先端を筒壁内方に突出してなる請求項２又は請求項３のいずれかに記載の容器として構成した。
【００１０】
本請求項５発明は、上記環状下向き面ｂがキャップ周壁８下面である請求項２乃至請求項４のいずれかに記載の容器として構成した。
【発明の効果】
【００１１】
本発明容器は、キャップ３上方よりその周壁８外周を被覆し且つ抜け出しを防止して装着するとともに、縦断する切取帯16を切り取り可能に画成してなる封緘筒４を設けたので、この封緘筒４を取り除かない限りキャップ３を取り外すことができず、内容物の詰め替え等の悪戯防止を図れるとともに、内容物に対する信頼性を得ることができるものである。また、封緘筒４以外は従来の容器をそのまま利用することができるため、安価に製造できる利点を兼ね備えている。また、封緘筒４は切取帯16を手によって切断除去すれば簡単に外れるためその開封操作も容易である。
【００１２】
また、封緘筒４の筒壁所定位置に設けた窓孔14下面より起立するとともに、先端を筒壁内方に突出した弾性係合片13を備えたものにあっては、封緘筒４の装着の際には弾性係合片13が窓孔14内に弾性変形できるため、容易な装着が可能であるとともに、キャップ３との間に余分な大きな隙間を必要とせず見栄えの良いものとなる。
【００１３】
また、キャップ周壁８下面に弾性係合片13を係合させて上方への抜け出しを防止したものにあっては、封緘筒４をよりシンプルな形状で形成できる利点がある。
【発明を実施するための最良の形態】
【００１４】
図１乃至図３は本発明の容器１の一例を示すもので、該容器１は、本体２と、キャップ３と、封緘筒４とを備えている。
【００１５】
本体２は筒状の胴部５上端部より肩部６を介して口頸部７を起立して構成している。キャップ３は、口頸部７外周に螺着させた周壁８上端縁より頂壁９を延設し、着脱自在に本体２に装着している。尚、図中10は頂壁９裏面より垂設して口頸部７内周に嵌合させたシール筒を示す。
【００１６】
封緘筒４は、合成樹脂等により形成されたもので、上記キャップ３上方よりキャップ周壁８外周を被覆し且つ抜け出しを防止して装着した筒状をなしている。従って、封緘筒４を装着した本発明容器１はキャップ３を外そうとしても封緘筒４が邪魔をして取り外すことが出来ない様に構成している。封緘筒４は基本的にキャップ３に対して回動可能に装着することが好ましいが、後述する回動を防止するための回動防止手段を設けても良い。
【００１７】
上記封緘筒４の抜け出しを防止するための手段として、上方への抜け出しを防止する手段及び下方への抜け出しを防止する手段であるが、本発明に於ける下方への抜け出し防止手段は装着する容器体２の形態により異なる。即ち、容器体２がその肩部６の突出幅があまり大きくない場合或いは肩部６がない場合には、キャップ３上面に係合する係合部ａにより下方への抜け出しを防止する。上記係合部ａとしては、図１の実施例の如く、封緘筒４の内周上部に周方向間隔をあけて複数突設するとともにキャップ３の上面周縁部に係合する突条11形態の係合部ａの他、図４に示す如き、封緘筒４の上端開口を閉塞する頂壁12として係合部ａを構成しても良い。
【００１８】
また、容器体２の肩部６が口頸部７より充分大径に形成されて、装着したキャップ周壁８外方に突出した肩部６上面に封緘筒４の下面を当接係止することが可能な場合には、図５に示す如く、封緘筒４下面を容器体肩部６上面へ当接することにより抜け出し防止手段とすることができる。
【００１９】
また、封緘筒４の上方への抜け出しを防止する手段として、本発明では容器１外周部の環状下向き面ｂに係合する弾性係合片13を設けている。上記弾性係合片13は、キャップ上方より封緘筒４を装着する関係で、上方より下方への進行中は係合せずに、下方から上方へ上昇する際に係合する形態のもので、例えば、上面が水平面或いは筒壁側へ傾斜した傾斜面をなし、下面が筒壁側へ傾斜した傾斜面をなす形態のものが好ましく採用される。図１の実施例では、封緘筒４の筒壁左右所定位置に設けた一対の窓孔14内に、それぞれ先端を内方へ突設して起立した形態を採っている。この弾性係合片13は一箇所設けることにより所期の目的を達成することができるが、図示例の如く複数設けることも当然可能であり、その場合には間隔をあけて設けると良く、更には等間隔に設けると良い。また、その設置場所としては、図１の実施例の如く封緘筒４の筒壁に設けても、或いは後述する切取帯部分に設けても良く、更には両方に設けても良い。
【００２０】
また、上記した容器１外周部の環状下向き面ｂとして、図１の実施例では、キャップ３の周壁８下面を採用しており、この周壁８下面に弾性係合片13を係合させて封緘筒４の上方への抜け出しを防止している。尚、この環状下向き面ｂとしては、上記したキャップ周壁８下面の他、図６に示す如く、口頸部７外周に突設したフランジ15の下面を採用できる。
【００２１】
また、封緘筒４には縦断する切取帯16を画成している。この切取帯16は容器１を使用する際に切断して封緘筒４を取り除くためのものであり、両側を容易な破断が可能な易切断部17として構成している。易切断部17の具体的形態は種々採用できるが、図１に示す実施例では、切溝により画成した切取帯16の両側切溝部分に間隔をあけて多数の易切断性連結片を設けている。また、これに代えて図７に示す如く、ミシン目状の易切断部17を設けても良く、図示しないが易切断部を薄肉に形成しても良い。尚、図４に示す如き頂壁12を有する封緘筒４の場合の切取帯16の形態としては、筒壁部分のみに切取帯を形成しても充分に所期の目的を達成することができるが、筒壁から頂壁に至る部分或いは筒壁から頂壁をへて対向する筒壁に至る部分に切取帯を形成しても良い。また、切取帯16は図示例の如く一箇所設ける場合に限らず複数箇所設けることも可能である。
【００２２】
上記の如く構成した容器を使用する場合について、図１の実施例を例として紹介すれば、まず、封緘筒４を装着する場合は、容器体２に嵌合したキャップ３の上方より、その弾性係合片13を外方へ弾性変形しつつ摺動させて封緘筒４を嵌合し、弾性係合片13をキャップ周壁８下面に係合させれば良い。この場合、封緘筒４はキャップ３と若干の隙間をあけた遊嵌状態となり、キャップに対して回動可能となっており、封緘筒４を回してキャップを螺脱しようとしても封緘筒４のみが回転してしまいキャップ３は螺脱しないように構成している。
【００２３】
尚、この様に封緘筒４はキャップに対して回動可能に装着することが好ましいが、無駄な回動を防止する上で、回動防止手段を設けても良い。例えば、図２において、封緘筒４の内周下端部に周方向複数のリブを突設して容器体２の胴部外周上部に圧接する如く構成することにより封緘筒４の無駄な回動を防止することができる。
【００２４】
また、開封する場合には、図１の状態から易切断部17を切断して切取帯16を取り除く。この際封緘筒４は開環筒状となるため径を広げて弾性係合片13の係合を容易に解除でき、容器から取り除くことができる。そして、キャップ３の螺脱が可能となる。
【００２５】
図８は更に他の実施例を示すもので、封緘筒４がキャップ３のみならず容器体２外周も被覆した形態のものである。この様に封緘筒４の大きさは少なくともキャップ３の外周を被覆すれば要件を満たすものである。また、この場合には上記弾性係合片13を切取帯16部分に一箇所と、それ以外の封緘筒４の筒壁部分に各々等間隔に３箇所設けている。
【図面の簡単な説明】
【００２６】
【図１】本発明容器の正面図である。（実施例１）
【図２】本発明容器の要部拡大断面図である。（実施例１）
【図３】本発明容器の作用を説明する説明図である。（実施例１）
【図４】本発明容器の要部拡大断面図である。（実施例２）
【図５】本発明容器の要部拡大断面図である。（実施例３）
【図６】本発明容器の要部拡大断面図である。（実施例４）
【図７】本発明容器の要部正面図である。（実施例５）
【図８】本発明容器の正面図である。（実施例６）
【符号の説明】
【００２７】
２…容器体，３…キャップ，４…封緘筒、７…口頸部，８…周壁，９…頂壁，
13…弾性係合片，14…窓孔，16…切取帯，ａ…係合部，ｂ…環状下向き面
【図１】
2005153964.tif 000003
【図２】
2005153964.tif 000004
【図３】
2005153964.tif 000005
【図４】
2005153964.tif 000006
【図５】
2005153964.tif 000007
【図６】
2005153964.tif 000008
【図７】
2005153964.tif 000009
【図８】
2005153964.tif 000010